(57)【要約】【課題】  機構が簡単で、安価に得られ、汎用性があって、小型・軽量で作業者への負担が小さく、エスカレータのステップ面とライザー面の清掃に有効に適用できる掃除機の吸引ヘッドを提供する。【解決手段】  吸引ヘッド１は、ケース２と継ぎ手管３を具備する。ケース２は、略矩形の天板４と側壁５とを具備する。継ぎ手管３は、掃除機本体に接続される。ケース２は、前後の側壁に沿って第１及び第２のブラシ列７，８を有する。ブラシ列７は、斜め前下がりに側壁５ａより前方へ延出し、ステップ面Ｓの前方に押し当てたとき、ライザー面Ｒとの狭小な接合部付近に先端が達する。また、ブラシ列７を下方に向けてヘッド１をライザー面Ｒの下方に押し当てたときにも、ブラシ７の先端部が同様に狭小な接合部付近に達する。ブラシ列８は、ブラシ列７より短く、天板に対して略垂直に下方へ延出する。【選択図】  図３
0003116033.tif 000002
【実用新案登録請求の範囲】
【請求項１】
踏段のステップ面及びライザー面に多数の平行なクリート溝を有するエスカレータにおけるステップ面又はライザー面を吸引清掃するためのヘッドであって、ケースと継ぎ手管とを具備し、
前記ケースは、略矩形の天板と天板の周縁部から下方へ突出する側壁とを有し、下方に開放した吸引用開口を備え、
前記継ぎ手管は、前記ケースの天板を貫通してケースの内外に連通するようにケースの上部に設けられ、掃除機本体に接続可能で、
前記ケースは、吸引ヘッドをステップ面又はライザー面に押し当てる際にクリート溝と直交する方向に配置される前後の側壁に沿って、それぞれ所定の角度をもって下方へ延出し、各クリート溝に進入するように列をなして植設された第１及び第２のブラシ列をさらに具備し、
前記前方の側壁に沿う第１のブラシ列は、斜め前下がりに前方の側壁を越えて前方へ延出しており、第１のブラシ列を前方に向けてヘッドをステップ面の前方に押し当てたとき、及び第１のブラシ列を下方に向けてヘッドをライザー面の下方に押し当てたとき、当該ステップ面とライザー面との狭小な接合部付近に先端が達する所要の毛足長さを有しており、
前記後方の側壁に沿う第２のブラシ列は、前記第１のブラシ列より延出長さが短く、かつ前記天板に対して略垂直に下方へ延出していることを特徴とするエスカレータ用掃除機の吸引ヘッド。
【請求項２】
前記第１のブラシ列は、前記天板面に対して１００°〜１２０°の角度で斜め前下がりに延出していることを特徴とする請求項１に記載のエスカレータ用掃除機の吸引ヘッド。
【請求項３】
前記第１及び第２のブラシ列が、清掃対象であるエスカレータのクリート溝の相互間隔に対応する相互間隔をもって植設された多数のブラシ束の列からなり、各ブラシ束が、それぞれ各クリート溝に進入するように構成されていることを特徴とする請求項１に記載のエスカレータ用掃除機の吸引ヘッド。
【請求項４】
前記第１及び第２のブラシ列が、前記天板の下面に、合成樹脂製の単一のブラシ枠を介して取り付けられ、このブラシ枠が、前記ケースの前後左右の側壁の内側に沿う環状体で、ブラシもろとも交換可能であることを特徴とする請求項１に記載のエスカレータ用掃除機の吸引ヘッド。
【請求項５】
前記第１及び第２のブラシ列が、多数のブラシ束によって構成され、このブラシ束の各々が、一連の金属線材によって結束されて前記ブラシ枠に固定され、この金属線材に電気的に導通するように導電性のチェーンが取り付けられ、このチェーンが、清掃時に踏段に接触してブラシへの帯電が防止されることを特徴とする請求項１に記載のエスカレータ用掃除機の吸引ヘッド。
【請求項６】
前記多数のブラシ束を結束する一連の金属線材が前記ブラシ枠の上部に露出し、この金属線材の露出部に下面が接触するように、ブラシ枠に沿う環状の導電板が、ブラシ枠と前記天板との間に介設され、前記チェーンが、両端において導電板に電気的に導通するように、ブラシ枠の対向辺間に撓んで掛け渡され、清掃時にチェーンの撓んだ中間部分が、踏段に接触してブラシへの帯電が防止されることを特徴とする請求項５に記載のエスカレータ用掃除機の吸引ヘッド。
【請求項７】
前記ケースの前後左右の側壁に沿って、前記ブラシ列の外側の上部を包囲するように、下方へ延出した柔軟な薄板材からなるスカートが設けられ、使用時にこのスカートの下端がステップ面又はライザー面に当接し、スカートの下端より下方へ延出した前記ブラシの先端側が、前記各クリート溝に進入するように構成されることを特徴とする請求項１ないし６のいずれかに記載のエスカレータ用掃除機の吸引ヘッド。
【請求項８】
前記ケースが金属板材の成形部材で構成され、前後左右の側壁の外周に合成樹脂製の帯板が固着されることを特徴とする請求項１ないし６のいずれかに記載のエスカレータ用掃除機の吸引ヘッド。
【考案の詳細な説明】
【技術分野】
【０００１】
この考案は、エスカレータの踏段のステップ面及びライザー面を清掃する真空掃除機用の吸引ヘッドに関する。
【背景技術】
【０００２】
エスカレータの踏段は、人が乗る水平のステップ面とステップ面に対して垂直よりやや下段側へ傾斜して立ち上がるライザー面を有する。ステップ面及びライザー面には、多数のクリート溝が平行に形成される。従来、このようなエスカレータのステップ面をブラッシングしつつ、クリート溝内の塵埃を吸引するエスカレータ用清掃装置として、特許文献１に記載されたものが知られている。この清掃装置は、クリート溝が平行に形成されたステップ面の一部領域を被うカバーと、ステップ面に接触するようカバー内に配設されて回転駆動される回転ブラシと、回転ブラシによってステップ面から剥がされて巻き上げられた塵埃をカバー内のエアと共に装置本体内の集塵部へ吸引するエア吸引システムとを備えたもので、回転ブラシは、回転軸と、回転軸に配設された複数の輪状ブラシ毛群と、クリート溝に嵌合して当該クリート溝に沿って移動可能なカイド部材とを備え、各輪状ブラシ毛群は、ガイド部材とクリート溝との嵌合によって定まる他のクリート溝に嵌合する位置に配設される。
【特許文献１】特開２００２−４６９７１号公報
【考案の開示】
【考案が解決しようとする課題】
【０００３】
上記従来のエスカレータ用清掃装置は、カバー内に配設されて回転駆動される回転ブラシを有するものであるため、機構が比較的複雑で、高価であり、また駆動電源を得るために、汎用性がなく、専用のエア吸引システムを有する装置本体とセットでなければ使用できない。さらに、比較的大型、大重量で作業者への負担が大きくなる難点がある。また、エスカレータの踏段におけるライザー面の清掃には適用が困難である。
したがって、この考案は、機構が比較的簡単で、安価に得られ、汎用性があって、専用のエア吸引システムを有しない装置本体にも容易に適用でき、また比較的小型・軽量で作業者への負担が小さく、さらに、エスカレータの踏段におけるステップ面のみならずライザー面の清掃にも有効に適用することができるエスカレータ用掃除機の吸引ヘッドを提供することを目的としている。
【課題を解決するための手段】
【０００４】
この考案においては、上記課題を解決するため、ケース２と継ぎ手管３とを具備するエスカレータ用掃除機の吸引ヘッド１において、ケース２には、略矩形の天板４と天板の周縁部から下方へ突出する側壁５とを具備させ、下方に開放した吸引用開口６を設ける。また継ぎ手管３は、ケース２の天板を貫通してケース２の内外に連通するようにケースの上部に設け、掃除機本体に接続可能とする。ケース２は、吸引ヘッド１をステップ面Ｓ又はライザー面Ｒに押し当てる際に、クリート溝Ｃと直交する方向に配置される前後の側壁５ａ，５ｂに沿って第１及び第２のブラシ列７，８を具備させる。第１のブラシ列７は、斜め前下がりに前方の側壁５ａより前方へ延出させ、ブラシ列７を前方に向けてヘッド１をステップ面Ｓの前方に押し当てたとき、及びブラシ列７を下方に向けてヘッド１をライザー面Ｒの下方に押し当てたとき、当該ステップ面Ｓとライザー面Ｒとの狭小な接合部付近に先端が達する所要の毛足長さを持たせる。第２のブラシ列８は、第１のブラシ列７より短くし、かつ天板に対して略垂直に下方へ延出させる。
【考案の効果】
【０００５】
第１に、この考案においては、ケース２の前方の側壁５ａに沿う第１のブラシ列７が、当該側壁５ａより前方へ斜め前下がりに延出しているため、使用時に、エスカレータのステップ面Ｓとライザー面Ｒの接合部付近の狭小なスペースにブラシが良好に進入する。したがって、ステップ面Ｓの清掃においては、ヘッド１をステップ面Ｓの前方端から作業者の手前側へ引き寄せるように操作し、またライザー面Ｒの清掃においては、第１のブラシ列を下方に向けてヘッド１をライザー面Ｒに沿って上方へ摺り上げるように操作することによって、ステップ面Ｓとライザー面Ｒの接合部付近のクリート溝Ｃ内の塵埃をも効果的に掻き出して吸引することができるという効果を有する。
第２に、第１のブラシ列７を、天板面に対して１００°〜１２０°の角度で斜め前下がりに延出させれば、ステップ面Ｓとライザー面Ｒの両部位に対してヘッド１を無理なく押し当て、かつブラシ列７をステップ面Ｓとライザー面Ｒの接合部付近に確実に進入させ、効率的に清掃作業を進めることができる。
第３に、第１及び第２のブラシ列７，８を清掃対象であるエスカレータのクリート溝Ｃの相互間隔に対応する相互間隔をもって植設された多数のブラシ束７ａ，８ａの列から構成すれば、各ブラシ束がそれぞれ各クリート溝Ｃに無理なく良好に進入し、クリート溝Ｃ内の塵埃を効果的に掻き出して吸引することができる。
第４に、第１及び第２のブラシ列７，８を、天板４の下面に、合成樹脂製の単一のブラシ枠９を介して取り付け、このブラシ枠９をケース２の側壁５の内側に沿う環状体で構成し、ブラシもろとも交換可能とすれば、ブラシの消耗が激しい場合に対応が容易である。
第５に、第１及び第２のブラシ列７，８を構成するブラシ束７ａ，８ａの各々が、一連の金属線材１０によって結束されてブラシ枠９に固定され、この金属線材１０に電気的に導通するように導電性のチェーン１１が取り付けられ、このチェーン１１が、清掃時に踏段に接触するように構成すれば、ブラシへの帯電が防止され、放電により周辺機器への悪影響を未然に回避することができる。
第６に、多数のブラシ束７ａ，８ａを結束する一連の金属線材１０がブラシ枠９の上部に露出し、この金属線材１０の露出部に下面が接触するように、ブラシ枠９に沿う環状の導電板１２が、ブラシ枠９と天板４との間に介設され、チェーン１１が、両端において導電板１２に電気的に導通するように、ブラシ枠９の対向辺間に撓んで掛け渡され、清掃時にチェーン１１の撓んだ中間部分が、踏段に接触するように構成すれば、ブラシへの帯電をより確実に防止でき、またチェーン１１が清掃作業の障害となることもない。
第７に、ケース２の側壁５に沿って、ブラシ列７，８の外側の上部を包囲するように、下方へ延出した柔軟なゴムのような薄板材からなるスカート１３が設けられ、使用時にこのスカート１３の下端がステップ面Ｓ又はライザー面Ｒに当接し、スカート１３の下端より下方へ延出したブラシの先端側が、各クリート溝Ｃに進入するように構成すれば、ブラシを通してケース２内へ吸引される空気の流れを制限し、良好な吸引力を保つことができる。
第８に、ケース２が金属板材の成形部材で構成され、側壁５の外周に合成樹脂製の帯板１４が固着されるように構成すれば、ヘッド１の軽量化が容易で、例えばステップ面Ｓの清掃時に、前面側の帯板１４の部分を上段のライザー面Ｒに摺動させて使用でき、またライザー面Ｒの清掃時に、帯板１４の部分をステップ面Ｓ上を滑らせるように移動させて軽快に使用でき、そのような使用によっても、ケース２を損傷から保護することができるという効果を有する。
【考案を実施するための最良の形態】
【０００６】
図面を参照してこの考案の実施の形態を説明する。図１は本考案の吸引ヘッドの分解斜視図、図２は本考案の吸引ヘッドの斜視図、図３は本考案の吸引ヘッドの断面図、図４は本考案の吸引ヘッドにおけるブラシ部の断面図、図５は本考案の吸引ヘッドの使用状態を示す説明図である。
【０００７】
ヘッド１は、図５に示す踏段のステップ面Ｓ及びライザー面Ｒに多数の平行なクリート溝Ｃを有するエスカレータにおけるステップＳ面又はライザー面Ｒを吸引清掃するためのもので、ケース２と継ぎ手管３とを具備する。ケース２は、アルミニウム等の軽量で薄い金属板材の成形部材で構成することができ、略矩形の天板４と天板の周縁部から下方へ突出する側壁５とを有し、下方に開放した吸引用開口６を備える。
継ぎ手管３は、ケース２の天板４を貫通してケース２の内外に連通するようにケース２の上部に設けられ、図示しない掃除機本体の吸引管に接続可能である。
ケース２は、吸引ヘッド１をステップＳ面又はライザー面Ｒに押し当てる際に、クリート溝Ｃと直交する方向に配置される前後の側壁５ａに沿って、それぞれ所定の角度をもって下方へ延出する第１及び第２のブラシ列７，８を具備する。
前方の側壁５ａに沿う第１のブラシ列７のブラシは、斜め前下がりに側壁５ａを越えて前方へ延出しており、図５（ａ）に示すように、ブラシ列７を前方に向けてヘッド１をステップ面Ｓの前方に押し当てたとき、当該ステップ面Ｓとライザー面Ｒとの狭小な接合部付近に先端が達する所要の毛足長さを有する。ブラシ列７はまた、図５（ｂ）に示すように、同ブラシ列７を下方に向けてヘッド１をライザー面Ｒの下方に押し当てたときにも、先端がステップ面Ｓとライザー面Ｒとの狭小な接合部付近に達する寸法に設定される。第１のブラシ列７の傾斜角度θは、天板面に対して１００°〜１２０°、好ましくは１１０°に設定される。この角度により、ステップ面Ｓとライザー面Ｒの両部位に対してヘッド１を無理なく押し当て、かつ第１のブラシ列７をステップ面Ｓとライザー面Ｒの接合部付近に確実に進入させ、効率的に清掃作業を進めることができる。
後方の側壁５ｂに沿う第２のブラシ列８は、第１のブラシ列７より延出長さが短く、かつ天板４に対して略垂直に下方へ延出している。
第１及び第２のブラシ列７，８は、いずれも、清掃対象であるエスカレータのクリート溝Ｃの相互間隔に対応する相互間隔をもって植設された多数のブラシ束７ａ，８ａの列からなる。これにより、各ブラシ束７ａ，８ａが、それぞれ各クリート溝Ｃに無理なく良好に進入し、クリート溝内の塵埃を効果的に掻き出して吸引することができる。
図示の実施形態において、第１及び第２のブラシ列７，８は、天板４の下面に、合成樹脂製の単一のブラシ枠９を介して取り付けられる。ブラシ枠９は、ケース２の側壁５の内側に沿う合成樹脂製の矩形環状体である。この場合、ブラシ枠９をブラシもろともケース２に対して着脱して交換可能であるから、ブラシの消耗が激しい場合に対応が容易である。
ブラシ列７，８を構成する多数のブラシ束７ａ，８ａは、図４に示すように、各々が、一連の金属線材１０によって結束されてブラシ枠９に固定される。この金属線材１０に電気的に導通するように導電性のチェーン１１が取り付けられる。このチェーン１１は、清掃時に踏段に接触してブラシへの帯電を防止する。すなわち、多数のブラシ束７ａ，８ａを結束する一連の金属線材１０が、ブラシ枠９の上部に露出し、この金属線材１０の露出部に下面が接触するように、ブラシ枠９に沿う環状の導電板１２が、ブラシ枠９と天板４との間に介設され、チェーン１１は、両端において導電板１２に電気的に導通するように、ブラシ枠９の対向辺間に撓んで掛け渡される。清掃時に、チェーン１１の撓んだ中間部分が、踏段に接触する。これにより、ブラシ７，８への帯電をより確実に防止でき、またチェーン１１が清掃作業の障害となることもない。
ケース２の側壁５に沿って、ブラシ列７，８の外側の上部を包囲するように、下方へ延出した柔軟な薄板材からなるスカート１３が設けられる。使用時に、このスカート１３の下端がステップＳ面又はライザー面Ｒに当接し、スカート１３の下端より下方へ延出したブラシ列７，８の先端側が、各クリート溝Ｃに進入するように構成される。これにより、ブラシ７，８を通してケース１内へ吸引される空気の流れを制限し、良好な吸引力を保つことができる。また、側壁５の外周には、摩擦抵抗の小さい塩化ビニル等の合成樹脂製の帯板１４が、スカート１３に重ねて固着される。ステップ面Ｓの清掃時に、前面側の帯板１４の部分を上段のライザー面Ｒに摺動させて使用でき、またライザー面Ｒの清掃時に、帯板１４の部分をステップ面Ｓ上を滑らせるように移動させて軽快に使用でき、そのような使用によっても、ケースを損傷から保護することができる。
【０００８】
この吸引ヘッド１は、図５に示すように、使用時に、エスカレータのステップ面Ｓとライザー面Ｒの接合部付近の狭小なスペースにブラシ７，８が良好に進入する。ステップ面の清掃時には、ヘッド１をステップ面Ｓの前方端から作業者の手前側へ引き寄せるように操作し、またライザー面Ｒの清掃時には、第１のブラシ列７を下方に向けてヘッド１をライザー面Ｒに沿って上方へ摺り上げるように操作することによって、ステップ面Ｓとライザー面Ｒの接合部付近のクリート溝Ｃ内の塵埃をも効果的に掻き出して吸引することができる。
【産業上の利用可能性】
【０００９】
この考案は、エスカレータの踏段を清掃する真空掃除機の吸引管の先端に装着される吸引ヘッドとして利用される。
【図面の簡単な説明】
【００１０】
【図１】本考案の吸引ヘッドの分解斜視図である。
【図２】本考案の吸引ヘッドの斜視図である。
【図３】本考案の吸引ヘッドの断面図である。
【図４】本考案の吸引ヘッドにおけるブラシ部の断面図である。
【図５】本考案の吸引ヘッドの使用状態を示す説明図である。
【符号の説明】
【００１１】
１      吸引ヘッド
２      ケース
３      継ぎ手管
４      天板
５      側板
５ａ    前方の側板
５ｂ    後方の側板
６      開口
７      第１のブラシ列
７ａ    ブラシ束
８      第２のブラシ列
８ａ    ブラシ束
９      ブラシ枠
１０    金属線材
１１    チェーン
１２    導電板
１３    スカート
１４    帯板
【図１】
0003116033.tif 000003
【図２】
0003116033.tif 000004
【図３】
0003116033.tif 000005
【図４】
0003116033.tif 000006
【図５】
0003116033.tif 000007